(57)【要約】【課題】折り畳んだ雨樋が元の形状（角形等）に復元することを防止して、輸送スペースや保管スペース等の効率を十分に高めることができる雨樋を提供する。【解決手段】  軒樋、竪樋等の雨樋の壁面１間に可撓部２を設けて曲げ可能に形成してなる雨樋において、曲げた際に対向する内壁面１ａには、互いに付着・離脱可能な結合部３を設けたことを特徴とする。【選択図】図１
2010031602.tif 000002
【特許請求の範囲】
【請求項１】
軒樋、竪樋等の雨樋の壁面間に可撓部を設けて曲げ可能に形成してなる雨樋において、
曲げた際に対向する内壁面には、互いに付着・離脱可能な結合部を設けたことを特徴とする雨樋。
【請求項２】
請求項１において、
結合部が、粘着剤層により付着・離脱可能にしている雨樋。
【請求項３】
請求項１において、
結合部が、吸盤により付着・離脱可能にしている雨樋。
【発明の詳細な説明】
【技術分野】
【０００１】
本発明は、軒樋、竪樋等の雨樋の壁面間に可撓部を設けて曲げ可能に形成してなる雨樋に関する。
【背景技術】
【０００２】
従来、略Ｖ状に形成した角部分に可撓部を設けて曲げ可能に形成してなる軒樋（特許文献１参照。）、或いは、略角形に形成した四隅部分に柔軟性を有する軟質合成樹脂を設けて曲げ可能にしてなる竪樋があった（例えば、特許文献２参照）。
【０００３】
これらの軒樋、竪樋等（以下、「雨樋」と称する。）は、壁面間の角部分や四隅部分に、可撓部や軟質合成樹脂（以下、「可撓部」と称する。）を設けて曲げ可能に形成しているため、前記雨樋を折り畳んだ状態にして積み重ねることによって嵩高にならず、折り畳まない状態に比べて、輸送スペースや保管スペース等の効率を高めることができるという効果がある。
【特許文献１】実開昭４８−４５２２１号
【特許文献２】実開昭４８−６２６２４号
【発明の開示】
【発明が解決しようとする課題】
【０００４】
しかし、従来の雨樋には、以下の問題があった。
【０００５】
すなわち、これら複数の雨樋を折り畳んだ状態で積み重ねた際、可撓部の弾性復元力によって、折り畳んだ前記雨樋が元の形状（角形等）に復元しようとするため、略板状にして積み重ねた複数の雨樋が各々膨れて嵩高になり、輸送スペースや保管スペース等の効率を十分に高めることができないという問題があった。
【０００６】
本発明は、かかる課題を解決することを目的とし、折り畳んだ雨樋が元の形状（角形等）に復元することを防止して、輸送スペースや保管スペース等の効率を十分に高めることができる雨樋を提供する。
【課題を解決するための手段】
【０００７】
前記目的を達成するため、
請求項１に係る雨樋は、軒樋、竪樋等の雨樋の壁面間に可撓部を設けて曲げ可能に形成してなる雨樋において、曲げた際に対向する内壁面には、互いに付着・離脱可能な結合部を設けたことを特徴とする。
【０００８】
請求項２に係る雨樋は、請求項１において、結合部が、粘着剤層により付着・離脱可能にしている。
【０００９】
請求項３に係る雨樋は、請求項１において、結合部が、吸盤により付着・離脱可能にしている。
【発明の効果】
【００１０】
本発明によれば、次のような効果がある。
【００１１】
請求項１に係る雨樋によれば、雨樋を曲げた際に対向する内壁面には、互いに付着・離脱可能な結合部を設けているので、対向する内壁面同士を前記結合部によって付着させた状態にして前記雨樋を折り畳むことができ、略板状にして積み重ねた複数の雨樋が元の形状（角形等）に復元することを防止して、輸送スペースや保管スペース等の効率を十分に高めることができる。
【００１２】
請求項２に係る雨樋によれば、結合部が、粘着剤層により付着・離脱可能にしているため、対向する内壁面同士を前記結合部によって容易に付着させた状態にして前記雨樋を折り畳むことができ、略板状にして積み重ねた複数の雨樋が元の形状（角形等）に復元することを防止して、輸送スペースや保管スペース等の効率を十分に高めることができる。
【００１３】
請求項３に係る雨樋によれば、結合部が、吸盤により付着・離脱可能にしているため、対向する内壁面同士を前記結合部によって確実に付着させた状態にして雨樋を折り畳むことができ、略板状にして積み重ねた複数の雨樋が元の形状（角形等）に復元することを防止して、輸送スペースや保管スペース等の効率を十分に高めることができる。
【発明を実施するための最良の形態】
【００１４】
以下、本発明に係る雨樋Ａを図面とともに説明する。
【実施例１】
【００１５】
図１は、本発明に係る雨樋Ａの一実施例を示す斜視図であり、（ａ）は、雨樋Ａを折り畳む前の状態を示す斜視図であり、（ｂ）は、雨樋Ａを折り畳んだ状態を示す斜視図である。
【００１６】
本発明の雨樋Ａは、軒樋、竪樋等（以下、「雨樋」と称する。）の壁面１間に可撓部２を設けて曲げ可能に形成してなり、曲げた際に対向する内壁面１ａには、互いに付着・離脱可能な結合部３を設けたことを特徴にしている。
【００１７】
この雨樋Ａは、相対向する２組の壁面１を有する略四角筒状に形成してなり、この壁面１の四隅部分には、隣設する側壁１、１同士を可撓部２によって連結している。
【００１８】
又、壁面１を形成する素材は、プラスチック、塩化ビニル等の合成樹脂材や、アルミニウム、銅、ステンレス等の金属材等によって形成してなる。
【００１９】
可撓部２は、軟質樹脂材やゴム材等のような柔軟性を有するシート材や薄肉金属シート材、曲げ用溝付き金属材等を用い、隣設する側壁１、１同士に接着、溶着又は硬軟同時成形等によって連結して曲げ可能にしている。
【００２０】
なお、本実施例では雨樋Ａとして、略四角筒状に形成した竪樋を例示しているが、これに限定されず、円筒状、角筒状に形成した竪樋、又は、断面略Ｕ状、角樋状等に形成した軒樋であっても良く、要は、壁面１間に可撓部２を設けて曲げ可能に形成してなる雨樋Ａであれば採用できる。
【００２１】
このような雨樋Ａは、可撓部２によって曲げ可能にしているが、この曲げた際に対向する内壁面１ａには、互いに付着・離脱可能な結合部３を設けている。
【００２２】
本実施例で示した結合部３は、対向する内壁面1ａに付着・離脱可能な粘着剤層を設けてなり、具体的には、対向する内壁面1ａに粘着テープを貼着したり、又は、粘着剤を塗布したりして設けている。
【００２３】
又、前記粘着剤層は、内壁面１ａの長手方向に連続的に設けても構わないが、内壁面１ａの適所に部分的に設けることも勿論可能である。
【００２４】
このように構成した本発明の雨樋Ａによれば、雨樋Ａを可撓部２で曲げた際に対向する内壁面１ａには、互いに付着・離脱可能な結合部３を設けているので、この結合部３を付着させた状態で雨樋Ａを折り畳んで維持することができ、略板状にして積み重ねた複数の雨樋Ａが元の形状（角形等）に復元することを防止して、輸送スペースや保管スペース等の効率を十分に高めることができる。
【実施例２】
【００２５】
図２は、本発明に係る雨樋Ａの他の実施例を示す要部拡大断面図であり、（ａ）は、雨樋Ａを折り畳む前の状態を示す要部拡大断面図であり、（ｂ）は、雨樋Ａを折り畳んだ状態を示す要部拡大断面図である。
【００２６】
なお、図１と共通する部位には同一の符号を付し、以下では、本実施例の特徴についてのみ説明する。
【００２７】
すなわち、この雨樋Ａは、対向する内壁面１ａに設けた結合部３が、吸盤により付着・離脱可能にしている点に特徴があり、具体的には曲げた際に対向する一方の内壁面１ａに前記吸盤を設け、この吸盤を他方の内壁面１ａに付着・離脱可能にしている。
【００２８】
そのため、本発明の雨樋Ａによれば、結合部３が、吸盤により付着・離脱可能にしているため、対向する内壁面１ａ同士を吸盤である結合部３によって確実に付着させた状態にして雨樋Ａを折り畳むことができ、略板状にして積み重ねた複数の雨樋Ａが元の形状（角形等）に復元することを防止して、輸送スペースや保管スペース等の効率を十分に高めることができる。
【図面の簡単な説明】
【００２９】
【図１】本発明に係る雨樋Ａの一実施例を示す斜視図であり、（ａ）は、雨樋Ａを折り畳む前の状態を示す斜視図であり、（ｂ）は、雨樋Ａを折り畳んだ状態を示す斜視図である。
【図２】本発明に係る雨樋Ａの他の実施例を示す要部拡大断面図であり、（ａ）は、雨樋Ａを折り畳む前の状態を示す要部拡大断面図であり、（ｂ）は、雨樋Ａを折り畳んだ状態を示す要部拡大断面図である。
【符号の説明】
【００３０】
Ａ    雨樋
１    壁面
１ａ  内壁面
２    可撓部
３    係止部
４    被係止部
【図１】
2010031602.tif 000003
【図２】
2010031602.tif 000004